(57)【要約】  本発明は、屠畜製品を処理するためのシステムに関し、本システムは、第１及び第２の循環要素と、それらと協働する複数の第１及び第２の製品キャリアと、第１及び第２の循環要素を反対回転のために結合するためのトランスミッション装置と、を含み、ここで、屠畜製品は移送位置において１つの第１の製品キャリアから１つの第２の製品キャリアへと移送され、トランスミッション装置は、第１及び第２の循環要素と接続された第１及び第２のギアホイールを備え、ここで、前記第１のギアホイールは回転のために第１及び第２のトランスミッションギアホイールを介して第２のギアホイールと結合され、トランスミッション装置は、噛み合い係合を維持したまま、第１のギアホイールの角度位置が第２のギアホイールの角度位置に対して変化するように、第１及び／又は第２のトランスミッションギアホイールの重心を変位させるのに適合した変位装置を備える。
2021520794.tif 000002
【特許請求の範囲】
【請求項１】
屠畜製品、特に鶏等の家禽を処理するためのシステムであって、
前記システムの動作中に第１の中心軸を中心に回転する第１の循環要素と、
それぞれ前記屠畜製品のうちの１つを運ぶように構成され、前記第１の循環要素と協働して節点回転を行う第１の製品キャリアと、
動作中に、前記第１の中心軸と平行でありかつ離間した第２の中心軸を中心に回転する第２の循環要素と、
それぞれ前記屠畜製品のうちの１つを運ぶように構成され、前記第２の循環要素と協働して節点回転を行う第２の製品キャリアと、
前記第１の循環要素がある回転方向に回転すると、第２の循環要素が前記回転方向と反対方向に回転するようなやり方で、また、各ケースにおける当該回転中、１つの移送位置を、１つの第１の製品キャリア及び１つの第２の製品キャリアが互いに対して同じ時間間隔で通過するようなやり方で、固定トランスミッション比で前記第１及び第２の循環要素を互いに結合するように構成されたトランスミッション装置と、
を含み、
ここで、前記システムは、前記移送位置における回転中に、前記屠畜製品を１つの前記第１の製品キャリアから１つの前記第２の製品キャリアに移送するように構成され、
前記トランスミッション装置は、
前記第１の循環要素及び前記第２の循環要素にそれぞれ回転可能に連結された第１のギアホイール及び第２のギアホイールと、
第１のトランスミッションギアホイールと、
前記第１のトランスミッションギアホイールと噛み合い係合する第２のトランスミッションギアホイールと、
ここで、前記第１のギアホイールは、回転のために、前記第１のトランスミッションギアホイール及び前記第２のトランスミッションギアホイールを介して第２のギアホイールに結合され、
前記第１のギアホイールの角度位置が前記第２のギアホイールの角度位置に対して変化するようなやり方で、前記第１のトランスミッションギアホイール及び前記第２のトランスミッションギアホイールのうち少なくとも一方の重心を、前記噛み合い係合を維持したまま変位させるのに適合した変位装置と、を備える、
システム。
【請求項２】
前記第１の製品キャリアは、前記第１の循環要素に周方向に等間隔で取り付けられ、
前記システムは、前記第２の循環要素が等間隔で提供され、かつ前記第２の循環要素の周りに嵌められた無端可撓性搬送部材を含む、
請求項１に記載のシステム。
【請求項３】
第１の無端可撓性搬送部材であって、前記第１の製品キャリアが等間隔で提供され、かつ前記第１の循環要素の周りに嵌められた、第１の無端可撓性搬送部材と、及び／又は、
第２の無端可撓性搬送部材であって、前記第２の製品キャリアが等間隔で提供され、かつ前記第２の循環要素の周りに嵌められた、第２の無端可撓性搬送部材と、
をさらに含む、
請求項１に記載のシステム。
【請求項４】
前記第１のギアホイール及び前記第２のギアホイールは、前記第１の中心軸及び前記第２の中心軸とそれぞれ一致する中心軸を有する、
請求項１〜３のうちいずれか１つに記載のシステム。
【請求項５】
前記第１のトランスミッションギアホイールは、傾斜した歯を備え、第３の中心軸について回転可能であり、
前記第２のトランスミッションギアホイールもまた、傾斜した歯を備え、前記第１のトランスミッションギアホイールの傾斜した歯と噛み合い係合し、第４の中心軸について回転可能であり、
前記トランスミッション装置の前記変位装置は、第１及び第２のトランスミッションギアホイールの一方を、第１及び第２のトランスミッションギアホイールの他方に対して、第１及び第２のトランスミッションギアホイールの間の係合を維持しながら、その中心軸に対して平行に変位させるように構成される、
請求項１〜４のうちいずれか１つに記載のシステム。
【請求項６】
前記トランスミッション装置は、
前記第３の中心軸について回転可能であり、前記第１のトランスミッションギアホイールに回転不可能に連結され、かつ固定されたトランスミッション比で前記第１のトランスミッションギアホイールに結合される第３のトランスミッションギアホイールと、
前記第４の中心軸について回転可能であり、前記第２のトランスミッションギアホイールに回転不可能に連結され、かつ固定されたトランスミッション比で前記第２のトランスミッションギアホイールに結合される第４のトランスミッションギアホイールと、を備え、
前記変位装置は、前記第１のトランスミッションギアホイール及び前記第３のトランスミッションギアホイールを、若しくは前記第３のトランスミッションギアホイールに関して、第３の中心軸に平行に変位させ、並びに／又は、第２のトランスミッションギアホイール及び前記及び第４のトランスミッションギアホイールを、若しくは第４のトランスミッションギアホイールに関して、前記第４の中心軸に平行に変位させるように構成される、
請求項５に記載のシステム。
【請求項７】
前記第１、前記第２、前記第３、及び前記第４の中心軸は、すべて互いに平行に延在する、
請求項６に記載のシステム。
【請求項８】
前記第１のトランスミッションギアホイールは、前記第３の中心軸について回転可能であり、前記第２のトランスミッションギアホイールは、前記第３の中心軸と平行かつ第３の中心軸から離れた第４の中心軸について回転可能であり、
前記トランスミッション装置の前記変位装置は、前記第１のトランスミッションギアホイール及び前記第２のトランスミッションギアホイールの間の係合を維持しつつ、前記第１のトランスミッションギアホイール及び前記第２のトランスミッションギアホイールを前記第３の中心軸及び前記第４の中心軸に直角な平面内で互いに変位させるように構成される、
請求項１〜４のうちいずれか１つに記載のシステム。
【請求項９】
前記第１のギアホイールの前記変位の間、第１のトランスミッションギアホイールが、ある中心軸を中心に一定の第１の半径を有する円形の経路を辿り、
前記第２のギアホイールの前記変位の間、第２のトランスミッションギアホイールが、ある中心軸を中心に一定の第２の半径を有する円形の経路を辿る、
請求項８に記載のシステム。
【請求項１０】
前記第１の製品キャリアは、前記第２の製品キャリアとは異なるタイプである、
請求項１〜９のうちいずれか１つに記載のシステム。
【請求項１１】
前記屠畜製品を１つの第１の製品キャリアから１つの第２の製品キャリアに移送できるように、前記システムは移送手段を備え、
前記移送手段は、好ましくは前記移送手段の移送要素が前記屠畜製品に力をかけることで、前記回転の間、前記移送位置の位置において、第１の製品キャリアから第２の製品キャリアに屠畜製品が移送されることを可能にするように構成される、
請求項１〜１０のうちいずれか１つに記載のシステム。
【請求項１２】
第１及び／又は第２の循環要素のそれぞれの中心軸について回転を作用させるための駆動装置を備える、
請求項１〜１１のうちいずれか１つに記載のシステム。
【請求項１３】
請求項１〜１２のうちいずれか１つに記載のシステムの製品キャリアの相互位置を調整するための方法であって、
前記変位装置を用いて、前記噛み合い係合を維持したまま、前記第２のギアホイールの角度位置に対して前記第１のギアホイールの角度位置が変化するようなやり方で、前記第１のトランスミッションギアホイール及び前記第２のトランスミッションギアホイールのうちの少なくとも１つの重心を変位させることを含む、
方法。
【請求項１４】
前記第１及び第２の循環要素を回転させることと、
１つの第１の製品キャリア及び１つの第２の製品キャリアの相互位置を検出することと、
前記検出された相互位置が所定の範囲外にある場合、回転中に、前記相互位置が前記所定の範囲に再度入るように、前記変位ステップを実行することと、
を含む、
請求項１３に記載の方法。
【発明の詳細な説明】
【背景技術】
【０００１】
家禽、特に鶏のような屠畜製品を処理するシステムでは、生産能力を向上させるために、処理速度の高速化が常に求められている。このようなシステムは、通常、チェーン状の搬送部材を含み、この搬送部材には、屠畜製品を搬送する複数の製品キャリア（通常はフック）が取り付けられている（以下、単数であると特に記載されない限り、複数の製品キャリアを単に「製品キャリア」と呼ぶ）。この場合、屠畜製品は、連続的に処理ステーションを通過するように搬送される。処理される屠畜製品及び処理段階に応じて、屠畜製品を効率的に処理できるように、特定の製品キャリアを搬送する必要がある。
【０００２】
このようなシステムは、通常、屠畜製品が、カルーセル等の第１の循環要素上の、フック等の１つの製品キャリアから、又はオプションで、このような第１の循環要素の周りに取り付けられた第１の搬送チェーン上の１つの製品キャリアから、第２の搬送チェーン上の、フック等の１つの製品キャリアへ、通常は異なるタイプのフックを用いて、移送される（すなわち横切って移動される）移送位置を含む。このようなシステムでは、これがクリティカルな点となる。移送動作中の製品キャリアの相互位置決めが十分に正確でないと、屠畜製品の移送の失敗率が高くなり、その結果、例えば屠畜製品が詰まってしまうなど、システムのダウンタイムが長くなる。さらに、この移送は、高い搬送速度又は処理速度においてさらにクリティカルとなる。
【０００３】
実際には、このようなシステムの使用中には、特に、製品キャリアによって運ばれる屠畜製品の重量もまた変化する。これはまた、特に搬送部材の長さが非常に大きい（数キロメートルにもなり得る）ために、移送位置の位置における製品キャリアの相互の位置関係にもばらつきが生じる。上述した問題に関して、現在のシステムは改善され得る。
【０００４】
また、移送位置における製品キャリアの相互位置決めの調整に関しても、現在のシステムを改善され得る。屠畜製品の移送の失敗率が高い、又は許容できないほど高くなるなど、位置決めの精度が不十分であることが判明した場合、位置決めに関するシステムの設定を変更するために、システムを停止する必要がある。その後、システムを再起動し、変更した設定が位置決めに好適な影響を与えているかどうかを確認できる。そうでない場合は、システムを再度停止する必要がある。この繰り返しのプロセスは、特に時間と手間がかかる。これにより、システムのダウンタイムは非常に長くなってしまう。
【発明の概要】
【発明が解決しようとする課題】
【０００５】
従って、本発明の目的は、上述した問題のうちの１つ以上に対する解決手段を提供する屠畜製品、特に家禽を処理するためのシステムを提供することである。本発明の目的は、信頼性を維持しつつ、より高い処理速度で動作することができる屠畜製品の処理システムを提供することである。本発明の目的は、より確実に屠畜製品を移送することができる屠畜製品処理システムを提供することである。本発明の目的は、製品キャリア間での屠畜製品の移送が、動作中に変化する屠畜製品の特性に大きく影響されない屠畜製品の処理システムを提供することである。
【課題を解決するための手段】
【０００６】
上述の目的のうち１つ以上は、請求項１で定義されるように、本発明に係る、屠畜製品、特に鶏等の家禽を処理するためのシステムにより達成される。本システムは、
システムの動作中に第１の中心軸を中心に回転する第１の循環要素と、
それぞれ屠畜製品のうちの１つを運ぶように構成され、第１の循環要素と協働して節点回転を行う第１の製品キャリアと、
動作中に、第１の中心軸と平行でありかつ離間した第２の中心軸を中心に回転する第２の循環要素と、
それぞれ屠畜製品のうちの１つを運ぶように構成され、節点回転のために第２の循環要素と協働する第２の製品キャリアと、
を含む。
【０００７】
本発明によると、本システムは、例えばギアホイール式トランスミッションを用いるか、又はギアベルト式トランスミッションを用いて、第１の循環要素がある回転方向に回転すると、第２の循環要素が当該回転方向と反対方向に回転するようなやり方で、また、各ケースにおける当該回転中、好ましくは第１の循環要素と第２の循環要素との間に位置する１つの移送位置を、１つの第１の製品キャリア及び１つの第２の製品キャリアが互いに対して同じ時間間隔で通過するようなやり方で、固定トランスミッション比で第１及び第２の循環要素を互いに結合するように構成されたトランスミッション装置を含む。このケースにおいて、本システムは、移送位置における回転中に、屠畜製品を１つの第１の製品キャリアから１つの第２の製品キャリアに（及び／又はその逆に）移送するように構成される。トランスミッション装置は、第１の循環要素及び第２の循環要素にそれぞれ回転可能に連結された第１のギアホイール及び第２のギアホイールを備える。さらに、トランスミッション装置は、第１のトランスミッションギアホイールと、第１のトランスミッションギアホイールと噛み合い係合する第２のトランスミッションギアホイールとを備える。第１のギアホイールは、回転のために、第１及び第２のトランスミッションギアホイールを介して第２のギアホイールに結合される。トランスミッション装置は、第１のギアホイールの角度位置が第２のギアホイールの角度位置に対して変化させ、結果として（上述の複数の第１の製品キャリアのうちの）１つの第１の製品キャリアの（上述の複数の第２の製品キャリアのうちの）１つの第２の製品キャリアに対する移送位置の位置における相互位置決め又はアライメントが変化するようなやり方で、第１のトランスミッションギアホイール及び第２のトランスミッションギアホイールのうち少なくとも一方の重心を、噛み合い係合を維持したまま（即ち第１のトランスミッションギアホイール及び第２のトランスミッションギアホイールの間で）変位させるのに適合した変位装置をさらに備える。
【０００８】
通常、ギアホイールの重心は、ギアホイールの中心軸に位置し、従って、本明細書及び特許請求の範囲において「重心」という表現は、中心軸上の点を意味すると理解される。従って、そのような角度変位のケースにおいて、そのような重心（又は中心軸上の点）は変位しないため、そのような「重心の変位」は、第１のトランスミッションギアホイール及び第２のトランスミッションギアホイールのうちの少なくとも１つの、純粋な角度変位（又は純粋な回転）以外の変位を意味すると理解される。従って、上述の変位の間、各ギアホイールは、例えば中心軸に平行な直線の経路、又は（部分的に）湾曲した経路に沿って変換される。
【０００９】
本発明に係るシステムの利点は、第２のギアホイールの角度位置に対する第１のギアホイールの角度位置、ひいては節点回転のために複数の製品キャリアが協働する循環要素の角度位置が効率的かつ正確に変更可能であり、加えて、トランスミッション装置を介して固定トランスミッション比で結合されているため、トランスミッション装置を用いることにより、移送位置の位置における１つの第１の製品キャリア及び１つの第２の製品キャリアの相互位置合わせ（又はアライメント）を、非常に高い精度で調整可能ということである。これにより、より高い処理速度においても、より低い故障率で、より確実に屠畜製品を移送できる。屠畜製品が１つの第２の製品キャリアに全く搬送されずにシステムから脱落するという完全な移送不良のリスクと、並びに、第１の製品キャリアから第２の製品キャリアに移送される間に、第２の製品キャリアに一本の脚だけが残ってしまった例えば家禽のような２本脚の屠畜製品の、即ちいわゆる「一本足」のリスクと、の両方のリスクは、正確さが不十分なアライメントの結果生じ、本発明に係るシステムを使用することで低減され得る。
【００１０】
加えて、本トランスミッション装置により、システムの動作中、即ち循環要素が回転している間にも相互の位置合わせを変更することが可能となり、従って、第１の製品キャリア及び第２の製品キャリアは連続して移送位置を通過する。これが可能なのは、トランスミッションギアホイールが、その少なくとも１つのギアホイールの変位の間にも噛み合い係合したままであり、従って動作、即ち回転駆動可能であり続け得るためである。従って、重要な利点は、移送中の位置決めの変化の効果が、その実行中に即座に検出でき、結果として、非常に短い時間でより正確かつ信頼性の高い屠畜製品の移送を実現できるということである。加えて、例えば搬送部材等における許容範囲は、特に搬送部材が数キロメートル単位の長さを有する場合、実際に動作している間にのみ見えることがよくある。このような許容範囲は、特にシステムの停止中に十分に正確なアライメントができないことにつながるため、一般的には、システムの動作速度における許容範囲と同一ではない。さらに、搬送部材により搬送される屠畜製品の重量も影響する。本発明に係るシステムが運転中にアライメントを変更可能であることの結果として、許容範囲に及ぼされるそのような影響の欠点はない。本文脈において、調整、即ち２つの循環部材間の角度位置の変更を完全に自動化された方法で行うことも可能であり、例えば、トランスミッション装置に動作的に接続された目的に適した検出装置を用いて、並びに／又は、変位装置に動作的に接続されたシステムの制御装置に記憶された屠畜製品の重量に関する情報等の情報に基づいて、行うことができる。
【００１１】
移送位置の位置における１つの第１の製品キャリア及び１つの第２の製品キャリアの相互位置決め又はアライメントに関して、これはまた、例えば第１の製品キャリアから第２の製品キャリアに移送される間に屠畜製品が移動する距離を含めて、屠畜製品が第１の製品キャリアから第２の製品キャリアに移送される方法に依存し得ることには注意するべきである。例えば、屠畜製品が第１の製品キャリアから、移送位置の位置における第１及び第２の製品キャリアの変位の方向に対して実質的に右方向（right angle）に力をかけられる場合、特に搬送速度が高いとき、屠畜製品が第１の製品キャリアから第２の製品キャリアに搬送されるのに要する時間を補償するために、第２の製品キャリアをわずかに後退させることが有利となり得る。
【００１２】
ギアホイールの角度位置は、その中心軸に関するギアホイールの位置を指す。ギアホイールの回転、又は角度変位の結果、角度位置が変更される。
【００１３】
好適な一実施形態において、第１の製品キャリアは、第１の循環要素に周方向に等間隔で取り付けられている。一実施形態において、第１の循環要素はカルーセルを備え得る。本システムはさらに、第２の循環要素が等間隔で提供され、かつ第２の循環要素の周りに嵌められた、無端可撓性搬送部材を含み得る。無端可撓性搬送部材は、連結されたチェーンを備えてよく、第２の循環要素はチェーンホイールを含み得る。このようなシステムでは、屠畜製品は、ある循環要素のカルーセル等の製品キャリアから、可撓性搬送部材上の製品キャリアへと移送され得る。このような製品キャリアは、位置が細かく決められ（determined to a great degree）、屠畜製品を安定して保持でき、このような製品キャリアから屠畜製品を移送することにより信頼性が高まる。
【００１４】
代替の好適な実施形態において、本システムは、第１の製品キャリアが等間隔で提供されて第１の循環要素の周りに嵌められた第１の無端可撓性搬送部材、並びに／又は、第２の製品キャリアが等間隔で提供されて第２の循環要素の周りに嵌められた第２の無端可撓性搬送部材を含む。第１及び／又は第２の無端可撓性搬送部材は、連結されたチェーンを備え得る。第１及び／又は第２の循環要素は、それぞれチェーンホイールを備え得る。
【００１５】
好ましくは、第１のギアホイール及び第２のギアホイールは、第１の中心軸及び第２の中心軸とそれぞれ一致する中心軸を有する。代替的に、第１のギアホイール及び第２のギアホイールは、回転のために、他のギアホイール又は少なくともトランスミッション装置を介して、第１及び第２の循環要素とそれぞれ結合され得る。
【００１６】
好適な一実施形態において、第１のトランスミッションギアホイールは、傾斜した歯を備え、第３の中心軸について回転可能であり、第２のトランスミッションギアホイールもまた、傾斜した歯を備え、第１のトランスミッションギアホイールの傾斜した歯と噛み合い係合し、第４の中心軸について回転可能である。この場合、トランスミッション装置の変位装置は、第１及び第２のトランスミッションギアホイールの一方を、第１及び第２のトランスミッションギアホイールの他方に対して、第１及び第２のトランスミッションギアホイールの間の（噛み合い）係合を維持しながら、その中心軸に対して平行に変位させるように構成され得る。この場合、２つのトランスミッションギアホイールのうちの一方又は両方が変位を受け得る。この軸方向の相対変位の結果として、２つのトランスミッションギアホイール間の角度位置は、傾斜した歯付きにより、厳密に制御され決定された方法で変化する。歯付きが傾斜しているほど、角度位置の変化は大きくなる。この変位は、システムの動作中、即ちギアホイールが回転駆動されている時に、問題を引き起こすことなく行われ得る。
【００１７】
このケースにおいて、トランスミッション装置は、第３の中心軸について回転可能であり、第１のトランスミッションギアホイールに回転不可能に連結され、かつ固定されたトランスミッション比で第１のトランスミッションギアホイールに結合される第３のトランスミッションギアホイールをさらに備え得る。さらに、トランスミッション装置は、第４の中心軸について回転可能であり、第２のトランスミッションギアホイールに回転不可能に連結され、固定されたトランスミッション比で第２のトランスミッションギアホイールに結合される第４のトランスミッションギアホイールを備え得る。この場合、変位装置は、第１及び第３のトランスミッションギアホイールを第３の中心軸に平行に変位させるように構成され、及び／又は、第２及び第４のトランスミッションギアホイールを第４の中心軸に平行に変位させるように構成され得る。代替的に、変位装置は、第３のトランスミッションギアホイールに関して、第１のトランスミッションギアホイールを第３の中心軸に平行に変位させるように構成され、及び／又は、第４のトランスミッションギアホイールに関して、第２のトランスミッションギアホイールを第４の中心軸に平行に変位させるように構成され得る。第３のトランスミッションギアホイールは、第１のトランスミッションギアホイールと噛み合い係合し得る。第４のトランスミッションギアホイールは、第２のトランスミッションギアホイールと噛み合い係合し得る。その結果、第１及び／又は第２のトランスミッションギアホイールの変位は、いわば、トランスミッション装置の残りの部分から孤立し得る。
【００１８】
好ましくは、第１、第２、第３及び第４の中心軸は、すべて互いに平行に延在する。
【００１９】
本発明に係るシステムの代替的な好適な一実施形態において、第１のトランスミッションギアホイールは、第３の中心軸について回転可能であり、第２のトランスミッションギアホイールは、第３の中心軸と平行かつ第３の中心軸から離れた第４の中心軸について回転可能である。この場合、トランスミッション装置の変位装置は、第１のトランスミッションギアホイール及び第２のトランスミッションギアホイールの間の係合を維持しつつ、第１のトランスミッションギアホイール及び第２のトランスミッションギアホイールを第３の中心軸及び第４の中心軸に直角な平面内で互いに変位させるように構成され得る。
【００２０】
このケースにおいて、トランスミッション装置は、上述の第１のギアホイールの変位の間、第１のトランスミッションギアホイールが、ある中心軸（第１の中心軸であってよい）を中心に一定の第１の半径を有する円形の経路を辿り、従って第１のギアホイールの周りを展開し、並びに、上述の第２のギアホイールの変位の間、第２のトランスミッションギアホイールが、ある中心軸（第２の中心軸であってよい）を中心に一定の第２の半径を有する円形の経路を辿り、従って第２のギアホイールの周りを展開するように構成され得る。
【００２１】
第１の製品キャリアは、第２の製品キャリアと同じタイプか、又は、好ましくは、第２の製品キャリアと異なるタイプであってもよい。一実施形態において、第１の製品キャリア及び／又は第２の製品キャリアは、そこから屠畜製品を吊り下げた状態で運ぶためのフックとして設計される。一実施形態において、第１の製品キャリアは屠殺フックとして設計され、第２の製品キャリアは冷却フックとして設計される。代替的に、第１の製品キャリアは、例えば冷却フックとして設計され得る。代替的に、第２の製品キャリアは、例えば部分フックとして設計され得る。
【００２２】
移送位置は、第１の循環要素及び第２の循環要素の間、即ち、第１及び第２の製品キャリアがそれぞれの循環要素の周に沿った位置に配置され得る。代替的に、移送位置は、例えば、第１及び第２の循環要素のうちの１つに隣接し、即ち、第１又は第２の製品キャリアがそれぞれの循環要素の周に沿って配置される一方で、第１及び第２の循環要素のうちの他方とは無縁の、即ち、第１又は第２の製品キャリアがそれぞれの他方の循環要素の周に沿って配置されない位置に配置され得るが、例えば、チェーン等の無端可撓性搬送部材の場合、それぞれの他方の循環要素及びさらなる循環要素との間の直線トラックセクションに沿って、しかしそれぞれの他方の循環要素の近傍に、配置され得る。これは例えば、それぞれの他方の循環要素から最大５０メートルの距離より内側、好ましくは５〜４０メートルの距離の内側、より好ましくは、それぞれの他方の循環要素から数十メートル、例えば２０メートルの距離の内側であり得る。
【００２３】
屠畜製品を１つの第１の製品キャリアから１つの第２の製品キャリアに移送できるように、本システムは、好ましくは、移送手段を備え得る。移送手段は、好ましくは移送手段の移送要素が屠畜製品を押すか叩いて屠畜製品に力をかけることで、上述の回転の間、移送位置の位置において、第１の製品キャリアから第２の製品キャリアに屠畜製品が移送されることを可能にするように構成される。
【００２４】
さらに、本システムは、第１及び／又は第２の循環要素のそれぞれの中心軸について回転を作用させるための駆動装置を備え得る。駆動装置は、第１の循環要素を回転駆動するための、例えば電動機等の電気的手段といった駆動手段を備え得る。駆動装置は、第２の循環要素を回転駆動させるための、例えば電機モータ等の駆動手段をさらに備え得る。このケースにおいて、駆動手段の一方を用いて製品キャリアの変位速度に対応する一方の循環要素の回転速度を制御し、２つの駆動手段の他方を用いて所定の駆動トルクを発生させることにより、それを回転速度の制御に用いないことが有利である。例えば搬送チェーン等の第１及び／又は第２の無端可撓性搬送部材を用いるとき、駆動トルクは、１つ又は複数の搬送部材の引張力／張力と連動する。また、上述の駆動トルクは、トランスミッション装置の第１及び第２のトランスミッションギアホイールが動作中に受けるトルクに連動する。好ましくは、第２の循環要素を駆動する駆動は、所定の駆動トルクを発生させるように制御される。
【００２５】
本発明は、本発明に係るシステムの製品キャリアの相互位置決めを調整するための方法にも関する。本方法は、第２のギアホイールの角度位置に対する第１のギアホイールの角度位置が変化するように、噛み合い係合を維持しながら、変位装置を用いて第１のトランスミッションギアホイール及び第２のトランスミッションギアホイールの少なくとも一方の重心を変位させることを含む。その結果、（上述の複数の第２の製品キャリアのうちの）１つの第２の製品キャリアに対する（上述の複数の第１の製品キャリアのうちの）１つの第１の製品キャリアの相互位置が、移送位置において変更される。
【００２６】
一実施形態において、第１及び第２の循環要素が回転され、１つの第１の製品キャリア及び１つの第２の製品キャリアの相互位置が検出される。これは、直接又は間接に、例えば、第１及び第２の循環要素、又は第１及び第２のギアホイールのそれぞれの角度位置を検出することで起こり得る。検出された相互位置が所定の範囲の外にある場合、検出された相互位置が再び所定の範囲内に収まるように、回転中に変位ステップが実行される。
【００２７】
上述の検出に追加又は代替で、本方法のある実施形態において、変位ステップは、本システムの制御装置に存在する情報に基づいて実行される。当該情報は例えば、処理される屠畜製品の重量等による、循環要素及び／又は搬送部材に加えられる荷重に関する情報を含む。従って、本方法の一実施形態において、変位ステップは（部分的に）、好ましくは手動で入力される屠畜製品の重量に基づいて、又はシステムの制御装置におけるシステム内の重量測定値に基づいて、実行され得る。相互位置決め及び屠畜製品の重量の間の関係が決定され、オプションで制御装置のメモリに入力され、当該関係に基づいて、例えば比較的軽い屠畜製品の処理の後に比較的重い屠畜製品が処理されている場合、屠畜製品の重量を（少なくとも部分的に）補償するために、変位ステップが手動で、又は自動的な方法で実行され得る。既に上述したように、特に長い無端可撓性搬送部材を用いる場合、屠畜製品の重量は、第１及び第２の製品キャリアの相互位置に影響を与え得る。また、移送速度に応じて、上述の、可能性のある、屠畜製品を１つの第１の製品キャリアから１つの第２の製品キャリアに移送するのに要する時間を補償するための複数の第２の製品キャリアの後退に関しても、影響を及ぼし得る。このようにして、例えば処理する屠畜製品が変更された場合にも、相互の位置決めの予備設定を既に行っておくということが可能となる。そして、必要に応じて、上述の検出に基づいて、アライメントが（単に）まだ所望の範囲内に入っていないことが判明した場合、手動で、又は自動化された方法で、再調整を行うことが可能である。
【００２８】
本発明に係る方法の利点は、本発明に係るシステムの上述の利点と類似している。本発明に係るシステムの好適な実施形態は、上述したように、本発明に係る方法と類似して使用可能であり、また、その逆も同様である。
【００２９】
以下の図式的な図面を参照して、本発明に係るシステムの好適な実施形態を説明することにより、本発明が以下説明される。
【図面の簡単な説明】
【００３０】
【図１】屠畜製品を処理するための、本発明に係るシステムの好適な実施例の一部を示す前面図
【図２】本発明に係るシステムのトランスミッションデバイスの一部を示す非常に図式的な斜視図
【図３ａ】２つの異なる位置における、図１のシステムのトランスミッション装置の一部を示す左側面図
【図３ｂ】２つの異なる位置における、図１のシステムのトランスミッション装置の一部を示す左側面図
【図４】屠畜製品を処理するための、本発明に係るシステムのさらに好適な実施例の一部を示す正面図
【図５ａ】図１に示すシステムの詳細を示す斜視図
【図５ｂ】図１に示すシステムの詳細を示す右側面図
【図６】本発明に係るシステムのトランスミッション装置の一部を示す非常に図式的な上面図
【発明を実施するための形態】
【００３１】
図１は、鶏等の家禽又はその一部分等の屠畜製品を処理するためのシステム１の一部を示す。例示的に、図１は、鶏の一部である屠畜製品２を示す。システム１は、連結チェーン形状の第１の無端可撓性搬送部材４を有する。搬送部材４上において、フック形状の製品キャリア６が、例えば１０〜２０ｃｍの範囲の一定間隔を開けて連続して提供され、そのそれぞれが屠畜製品２を吊るした状態で搬送する。図１には、１個の製品キャリア６が示される。また、製品キャリア６及び搬送部材４の間の垂直方向の距離は、より小さい値が選択されてもよい。例えば電動モータを備える駆動装置（図面上で詳細には示されない）により、搬送部材４又はそれに作動的に連結されたシステムのコンポーネント（チェーンホイール等）は、屠畜製品２を搬送するフックが屠畜製品を処理するための搬送経路に沿って変位するように駆動され得る。通常、搬送経路に沿って、屠畜製品が搬送経路に沿って連続的に変位されている間に屠畜製品に処理ステップを実行するための様々な処理ステーションが配置されている。これらの処理ステップには、例えば、屠畜製品の冷却、蒸散、各種切断等の作業が含まれる。
【００３２】
システム１は、システム１の動作中に、第１の中心軸１０を中心に回転する第１の循環要素８をさらに有する。循環要素８は、ベアリング１２，１２’を介してシステム１のフレーム３に回転可能にとりつけられた、車軸１１上に提供される。図１からの例において、第１の循環要素８は、連結チェーンとして設計された搬送部材４と協働するために外周に沿って歯付きが提供されたチェーンホイールである。搬送部材４は、第１の循環要素８の周囲に嵌め込まれている。従って、結果として、第１の製品キャリア６は、第１の循環要素８と協働して節点回転を行う。誘導装置は、第１の製品キャリアの位置決め精度を向上させるために、第１の循環要素に適合したトラック内で第１の製品キャリアを誘導し得る。
【００３３】
また、システム１は、同様に連結チェーン形状の、第２の無端可撓性搬送部材１４を有する。搬送部材１４上において、屠畜製品２を吊り下げることができるフック形状の複数の第２の製品キャリア１６が、一定間隔を開けて提供される。これらの第２の製品キャリア１６は、第１の製品キャリア６とは異なるタイプのものである。製品キャリア１６は、例えば、いわゆる冷却フックであってよく、製品キャリア６は屠畜フックであり得る。ただし、本発明の文脈において、製品キャリア６，１６が同じ種類のものである可能性もある。
【００３４】
さらに、システム１は、第２の循環要素１８を備える。循環要素１８は、システム１の動作中に、第１の中心軸１０と平行かつ第１の中心軸１０から離れた位置にある第２の中心軸２０を中心に回転する。循環要素１８は、第１の循環要素８の車軸１１から一定の距離の点において、ベアリング２２，２２’を介してシステム１のフレーム３に回転可能に取り付けられた、車軸２１上に提供される。図１からの例において、第２の循環要素１８は、循環要素８と同様に、連結チェーンとして設計された搬送部材１４と協働する歯付きが外周に設けられたチェーンホイールである。搬送部材１４は、第２の循環要素１８の周囲に嵌め込まれる。従って、結果として、第２の製品キャリア１６は、第２の循環要素１８と協働して節点回転を行う。２つの循環要素８，１８は、製品キャリア６，１６が循環要素８，１８の間で、移送位置２４の位置において一緒になる、即ち離間距離が最短になるように、互いに距離を開けて提供される。この距離は、屠畜製品２を１つの第１の製品キャリア６から１つの第２の製品キャリア１６に、自動化された方法で搬送することが可能な距離である。
【００３５】
１つの第１の製品キャリア６から１つの第２の製品キャリア１６への屠畜製品２の移送を可能にするために、システム１は、図１に非常に図式化された形式で図示された移送手段２６を有する。移送手段２６は、移送位置２４の位置において１つの第１の製品キャリア６から１つの第２の製品キャリア１６に屠畜製品２を、２つの循環要素８，１８の回転中に、各ケース（in each case）において自動化された手段で移送するように構成される。位置実施形態において、これは、移送手段２６の移送要素２８が屠畜製品２に力を及ぼすことで達成され得る。移送手段２６の駆動は、第１の循環要素８の回転に適合した方法で移送手段の移動を可能にするために、例えばカムフォロアを介して、提供され得る。このような屠畜製品の移送は、当業者には既知である。
【００３６】
さらに、システムは、第２の循環要素１８を回転駆動するための駆動装置５０を有する。この目的のため、例えば、ギアベルトトランスミッション５２を介して車軸２１に駆動的に接続された電動モータ５１が提供される。２つの循環要素８，１８は、それらの周囲に嵌め込まれた搬送部材４，１４を直接又は間接に介して、１時間あたり１５０００〜２００００個の屠畜製品が移送されるようにそれぞれ駆動される。なお、本発明の文脈において、より低速又はより高速のいわゆるライン速度、例えば５０００〜１５０００の範囲のライン速度も可能である。第１の循環要素８は、駆動装置に関連付けられた電動モータによりアナログ的に駆動され得る。
【００３７】
本発明に係るシステム１は、ギアホイールトランスミッションにより、固定トランスミッション比を用いて、第１及び第２の循環要素８，１８を互いに結合するよう構成されたトランスミッション装置３０をさらに有する。加えて、この結合は、第１の循環要素８がある回転方向、例えば時計回り方向に回転すると、第２の循環要素１８が当該回転方向の反対方向、即ち反時計回り方向に回転するように、また、各ケースにおいて上述の回転の間に、１つの第１の製品キャリア６及び１つの第２の製品キャリア１６が、第１及び第２の循環要素８，１８の間に位置する移送位置２４を、互いに同じ時間間隔で通過するような結合である。従って、図１において、移送位置２４の位置において、製品キャリア６，１６は、紙面手前方向に移動する。図１に示すように、少なくとも本実施例において、第２の循環要素１８の有効径は、第１の循環要素８の有効径よりも小さい。従って、上述の同じ時間間隔を達成するためには、第２の循環要素１８は、より高い回転速度で回転し、並びに／又は、連続する製品キャリア１６の間隔が、連続する製品キャリア６の間隔よりも小さくなる。例えば循環要素同士の間の直径の比率等の他の比率、連続する第１又は第２の製品キャリア間の他の距離、並びに他の処理速度も、本発明の文脈内で実現可能である。
【００３８】
トランスミッション装置３０は、第１のギアホイール３２及び第２のギアホイール３４を有し、これらはそれぞれ、第１の循環要素８及び第２の循環要素１８に回転可能に連結される。この目的のため、第１のギアホイール３２は、第１の循環要素８に回転のために固定的に連結された中心軸１０を中心に回転可能なように、軸１１上に提供される。この目的のため、第２のギアホイール３４は、第２の循環要素１８に回転のために固定的に連結された中心軸２０を中心に回転可能なように、軸２１上に提供される。代替的に、第１及び／又は第２のギアホイールは、さらなるトランスミッション（例えばギアホイール）を介して第１及び第２の循環要素に連結されていてもよい。
【００３９】
さらに、トランスミッション装置３０は、第１のトランスミッションギアホイール３６と、第１のトランスミッションギアホイール３６と噛み合い係合する第２のトランスミッションギアホイール３８とを備える。第１のトランスミッションギアホイール３６は、傾斜した歯付き３７を備え、第３の中心軸４４を中心に回転可能である。図２も参照のこと。第２のトランスミッションギアホイール３８も同様に、第１のトランスミッションギアホイール３６の傾斜した歯付き３７と噛み合い係合する傾斜した歯付き３９を備え、第４の中心軸４６を中心に回転可能である。第１のトランスミッションギアホイール１０、第２のトランスミッションギアホイール２０、第３のトランスミッションギアホイール３４、及び第４のトランスミッションギアホイール４６の中心軸は、すべて互いに平行に延在する。
【００４０】
回転のために、第１のギアホイール３２は、第１のトランスミッションギアホイール３６及び第２のトランスミッションギアホイール３８を介して、第２のギアホイール３４に結合される。この目的のため、トランスミッション装置３０はさらに、第３の中心軸４４を中心に回転可能であり、第１のトランスミッションホイール３６に非回転的に連結され、かつ第１のギアホイール３２に固定トランスミッション比で結合される、第３のトランスミッションギアホイール４０を有する。第１のトランスミッションギアホイール３６及び第３のトランスミッションギアホイール４０は、ベアリング５０を介してフレーム３に取り付けられた係合軸４８に嵌め込まれる。トランスミッション装置３０は、第４の中心軸４６について回転可能であり、第２のトランスミッションギアホイール３８に非回転的に連結され、かつ固定されたトランスミッション比で第２のギアホイール３４に結合される、第４のトランスミッションギアホイール４２をさらに有する。回転のため、第２のトランスミッションギアホイール３８及び第４のトランスミッションギアホイール４２は、支持体５４を介してフレームに取り付けられた係合軸５２を中心に回転可能となるように、互いに結合される。
【００４１】
トランスミッション装置３０は、変位デバイス６０も有する。変位デバイス６０は、第２のトランスミッションギアホイール３８及び第４のトランスミッションギアホイール４２を噛合係合させたまま第４の中心軸４６に平行に変位させ、その結果として第２のトランスミッションギアホイールの重心及び第４のトランスミッションギアホイール４２の重心を変位させるように構成される。一実施形態において、第２及び第４のトランスミッションギアホイールは、ベアリングに搭載された車軸５２が延在する節点中空車軸上に提供され得る。この節点中空車軸は、車軸５２の上を軸方向にスライド可能である。図１、図２、図３ａ及び図３ｂに示すように、第２のトランスミッションギアホイール３８及び第４のトランスミッションギアホイール４２の厚さが、第１のトランスミッションギアホイール３６及び第２のトランスミッションギアホイール３４の厚さよりも大きくなるように選択されるという事実により、変位の間、第２のトランスミッションギアホイール３８は第１のトランスミッションギアホイール３６と係合したままであり、第４のトランスミッションギアホイール４２は第２のトランスミッションギアホイール３４と係合したままである。ギアホイールの厚さは、噛み合い係合を維持したまま所定の最大変位を達成できるように選択される。上述の変位は、例えば、スピンドル駆動部６１を提供し、第２のトランスミッションギアホイール３８及び第４のトランスミッションギアホイール４２の組み立てを手動で、又は好ましくは自動化された方法で、効果的にかつ正確に垂直方向に（即ち中心軸４６と平行に）変位させられるようにすることで達成され得る。本発明の文脈において、この垂直方向の変位を達成するための他の方法も可能である。例えば、カムフォロア機構又はスピンドルを用いた線形駆動、又は例えばピストン／シリンダ組立品を用いた油圧式又は空気圧式の方法等が挙げられる。
【００４２】
第２のトランスミッションギアホイール３８が変位した結果、第１のトランスミッションギアホイール３６及び第２のトランスミッションギアホイール３８が傾斜しているため、第２のトランスミッションギアホイール３４の角度位置に対する第１のトランスミッションギアホイール３２の角度位置が変化する。この効果は、図３Ａ及び図３Ｂに示されている。第２のトランスミッションギアホイール３８が第１のトランスミッションギアホイール３６に対して中心軸４４と平行に上方に移動されると、第２のトランスミッションギアホイール３８は、係合した傾斜歯が互いに変位した結果、第１のトランスミッションギアホイール３６に対して角度回転αを受ける。つまり、第２トランスミッションギアホイール３８の角度位置は、第１トランスミッションギアホイール３６に対して角度αだけ変化する。その結果、第１のギアホイール３２に対する第２のギアホイール３４の角度位置も変化し、第１の循環要素８に対する第２の循環要素１８と、第２の製品キャリア１６と第１の製品キャリア６とが、それぞれ協働して回転する。この場合、第１の循環要素８に対する第２の循環要素１８の角度位置の変化の程度は、異なるギアホイール間の透過率に依存する。すなわち、循環要素８，１８間の角度位置の変化は、角度αよりも小さくても、等しくても、大きくてもよい。
【００４３】
図５において「Ｆ」の文字で示された２つの製品キャリア６，１６の間に、システム１に望ましくないほど存在する可能性のあるアラインメント誤差、又は不正確なタイミングが存在し得る。その結果、屠畜製品が移送されない可能性があるか、少なくとも十分な動作信頼性で移送されない可能性があり、その結果、図５ｂに示すように、アライメント誤差が存在しないか、又は少なくとも低減された状況になるように、第２のトランスミッションギアホイール３８及び第４のトランスミッションギアホイール４２を上述のように変位させることによって修正され得る。システムの一実施形態において、アライメント誤差は、例えば、特に、搬送に必要な時間対製品キャリアの搬送速度に関連して、第２の製品キャリアの上述の経路にリンクされるように、意図的に追求されてもよい。噛み合い係合を維持しながら行われるという事実のために、システム１の動作中、すなわち、すべての上記ギアホイール３２，３４，３６，３８，４０，４２並びに第１の循環要素８及び第２の循環要素１８の回転中、及び屠畜製品の処理中、例えば、第１の製品キャリア６から第２の製品キャリア１６に連続して移送されるような屠畜製品の処理中に、この変位は困難なく行うことができる。第２のトランスミッションギアホイール３８及び第４のトランスミッションギアホイール４２のこの変位は、手動で、すなわち、変位装置６０を手動で作動させたり、作動を解除したりすることによって行われてもよい。この変位は、自動化された方法で行われてもよく、例えば、自動化された調整、すなわち、２つの循環要素の角度位置の変化のために、トランスミッション装置３０、より具体的には変位装置６０に作動的に接続された検出装置を使用することによって行われてもよい。検出装置は、例えば、第１の循環要素１６の角度位置を検出するための、例えば光学センサ又は誘電センサのような第１の検出器６６と、第２の循環要素１８の角度位置を検出するための、例えば再び光学センサ又は誘電センサのような第２の検出器６８とを備えてもよい。この変位は、上で説明したように、屠畜製品の重量に関連する情報など、変位装置に作動的に接続されたシステムの制御装置に記憶された情報に基づいて、上記検出に追加又は代替的に、自動化された方法で行われてもよい。
【００４４】
ちなみに、本発明の文脈において、第１のギアホイール３２及び第２のギアホイール３４は、それぞれ同じ車軸１１，２１に嵌合しないことも可能である。しかしながら、これらはまた、別の車軸に設けられ、その後、１つ以上のさらなるギアホイールを介して、固定されたトランスミッション比を介して車軸１１，２１に作動的に連結されることも可能である。
【００４５】
図４は、鶏肉又はその一部などの屠畜製品を処理するためのさらなるシステム１００の一部を示す。システム１００は、トランスミッション装置３０及び第２の循環要素１８と、それらに協同する構成要素に関する限り、上述したシステム１と同一である。従って、対応する構成要素は同じ参照番号で示されている。異なるが、同一又は類似の機能を有する構成要素については、図４において、図１から対応する参照数字に１００が足されている。
【００４６】
システム１００は、システム１００の動作中に第１の中心軸１１０について回転する第１の循環要素１０８を有する。循環要素１０８は、ベアリング１１２、１１２'を介してシステム１００のフレーム１０３に回転可能に取り付けられた車軸１１１上に提供される。図４からの例では、システム１とは対照的に、第１の循環要素１０８は、カルーセルからなり、その上に第１の製品キャリア１０６がその周縁に沿って一定の距離を隔てて設けられている。これらの製品キャリア１０６は、パネル状であり、製品キャリア１０６によって屠畜製品が運ばれるために、屠畜製品の１つ以上の部分が提供され得る自由端に１つ以上の凹部が設けられている。これは、例えば、図４に図示されているように、足首の位置でドラムスティックによって凹部に吊るされている鶏であり得る。動作中、屠畜製品は、例えばコンベアチェーンから製品キャリア１０６に搬送されてもよく、続けて、屠畜製品は、オプションで、カルーセル上で処理された後、第２の製品キャリア１０６に搬送される。
【００４７】
システム１００は、カルーセル上に、製品キャリア１０６ごとに１つずつ、複数の搬送手段１２６を備える。搬送手段の各々は、枢軸ピン１２９について枢動可能であるようにカルーセル上に提供され、製品キャリア１０６の真上に提供される突出部の形態の搬送要素１２８を有する。本システムは、カルーセル内に位置するプランジャ１２７を有し、これにより、移送位置２４の位置に位置する移送手段が、移送要素１２８によって屠畜製品に及ぼされる力（本実施例では、図４に示すように、鶏の足関節に外向きに向けられた力）によって、屠畜製品が製品キャリア１０６から製品キャリア１６に移されるように、外向きに枢動させることができる。プランジャ１２７は、このようにして、カルーセルの回転にギアリングされるように、カム駆動されてもよい。
【００４８】
本発明に係るシステムのさらなる好適な実施形態において、第１の循環要素８，１０８及び第２の循環要素１８，１１８、並びに製品キャリア、搬送部材及び搬送手段のようなそれと協働する上述の構成要素の構成に関しては、少なくともその原理に関しては、本発明に従った上述のシステム１，１００と同一であってもよい。しかしながら、トランスミッション装置２３０は、トランスミッション装置３０とは別の原理に従って設計されてもよい。この別の原理は、図６に高度に図式化された形式で図示されている。
【００４９】
図６は、伝送装置２３０の４つのギアホイール２３２，２３４，２３６，２３８を示している。第１のギアホイール２３２は、前記ギアホイール３２又は１３２に取って代わってもよく、中心軸１０及び１１０と同様に、中心軸２１０について回転可能である。第２のギアホイール２３４は、上述のギアホイール３４又は１３４を置き換えてもよく、中心軸２０及び１２０と同様の中心軸２２０について回転可能である。第１のギアホイール２３２及び第２のギアホイール２３４は、ギアホイール３２，１３２及び３４，１３４に類似して、回転のみ可能であり、従って、異なる動きをすることはできない。伝送装置２３０はさらに、第３の中心軸２４４について回転可能な第１の伝送ギアホイール２３６と、第４の中心軸２４６について回転可能な第２のトランスミッションギアホイール２３８とを有する。この第１の伝達ギアホイール２３６及び第２の伝達ギアホイール２３８は、中心軸２１０、２４４、２４６及び２２０に対して直角に、又は図４からの図面の平面内で、トランスミッションギアホイール２３６，２３８の重心と一致する中心を中心として変位可能である。このために、連結ロッドが提供される。第１の連結ロッド２７０は、第１のギアホイール２３２の軸（中心軸２１０を有する）を、第１のトランスミッションギアホイール２３６の軸（中心軸２４４を有する）と連結する。その結果、第１のトランスミッションギアホイール２３６は、図６において一部をｐ１として示した円弧に従って変位し得る。この場合、ギアホイール２３２，２３６は、噛み合ったままである。第２のギアホイール２３４と第２のトランスミッションギアホイール２３８の車軸間の第２の連結ロッド２７２についても同様である。第２のトランスミッションギアホイール２３８は、このようにして、一部が図６に図示されている円弧ｐ２に沿って変位し得る。２つのトランスミッションギアホイール２３６，２３８はまた、連結ロッド２７１によって互いに連結されている。連結ロッド２７０，２７１，２７２の機構の結果として、第１のトランスミッションギアホイール２３６及び第２のトランスミッションギアホイール２３８を、噛み合い係合を維持しながらギアホイールの平面内で変位させることが可能である。ギアホイールの直径及び中心軸２１０，２２０間の距離を適切に選択することによって、ギアホイール２３６を円弧状経路ｐ１に従って変位させるとき、第２のギアホイール２３４に第１のギアホイール２３２とは異なる角度変位を及ぼすことが可能であり、その結果、第２のギアホイール２３４の角度位置が第１のギアホイール２３２の角度位置に対して、例えば図示された角度βだけ変化し得る。この場合、図示されたギアホイール及び図示された角度βの寸法は、純粋に例示であり、縮尺／比例する必要はないことに留意すべきである。
【００５０】
上述の変位の目的のために、上記のトランスミッション装置２３０は、第１のトランスミッションギアホイール２３６と第２のトランスミッションギアホイール２３８との間の噛み合いを維持しつつ、第１のトランスミッションギアホイール２３６と第２のトランスミッションギアホイール２３８とを、第３の中心軸２４４及び第４の中心軸２４６の延在方向に対して垂直な平面内で、結合ロッド２７０の中心軸２１０についての枢動運動である変位を課すことによって、互いに変位させるように構成された変位装置２６０を有する。変位装置２６０は、例えば、リニアアクチュエータで構成されてもよい。第１のトランスミッションギアホイール２３６は上述の変位の間、経路ｐ１に沿って、第１の中心軸の周りの一定の第１の半径を有する環状経路を辿り、第２のトランスミッションギアホイール２３８は上述の変位の間、経路ｐ２に沿って、第２の中心軸２２０の周りの一定の第２の半径を有する環状経路を辿る。システム１，１００の文脈で上述した変位装置６０と類似して、変位装置２６０は、手動及び／又は自動で操作されてもよく、例えば、検出装置、例えばセンサ６６，６８のような、一定の透過率で循環要素又はそれに伴って回転するシステムの構成要素の角度位置を検出するための検出器を含んで構成されるような手段によって操作されてもよい。
【００５１】
本発明によれば、図を参照して説明したシステム１、１００、及び伝送装置２３０を備える本発明に係るシステムなどの本発明に係るシステムの製品キャリアの相互位置を調整するための方法が提供される。方法は、噛み合い係合を維持しながら変位装置６０，２６０を用いて第１のギアホイール３６，２３６及び第２のギアホイール３８，２３８の少なくとも１つを変位させることを含み、この変位は、変位の結果として第１のギアホイール３２，２３２の角度位置を第２のギアホイール３４，２３４の角度位置に対して変化させ、この変位は、第１及び第２のギアホイールの少なくとも１つの重心が変位されるような変位である。これは、システムの動作中に行われてもよい。従って、方法はさらに、第１及び第２の循環要素が回転することを可能にすることを含む。
【００５２】
目的のために構成された検出装置（例えば上述の検出装置）を用いて、第１及び第２の製品キャリアの相互位置が、直接又は第１及び第２の循環要素若しくは例えば第１及び第２のギアホイールの相互位置の検出を介して検出される。方法はさらに、検出された相互位置が所定の範囲外、例えば１０ｍｍより大きい場合、または、例えば−１０ｍｍから１０ｍｍの範囲内でそれに関連した角度位置差（すなわち位置偏差）がある場合、相互位置が再び所定の範囲内にあることを確実にするために、回転中に第１および／または第２のトランスミッションギアホイールを変位させるステップを実行することを含む。上述の検出装置は、上記の変位装置に作動的に接続されていてもよく、上記システムの制御装置は、上述の検出装置からの信号に基づいて上述の変位装置を作動させるように構成されている。
【００５３】
上述の検出に追加又は代替的に、本方法の実施形態において、好ましくは、上述の変位ステップは、相互位置が再び所定の範囲内にあることを確実にするために、上記システムの制御装置に手動で入力される屠畜製品の重量に基づいて、または上記システム内の重量測定に基づいて実施される。
【図１】
2021520794.tif 000003
【図２】
2021520794.tif 000004
【図３ａ】
2021520794.tif 000005
【図３ｂ】
2021520794.tif 000006
【図４】
2021520794.tif 000007
【図５ａ】
2021520794.tif 000008
【図５ｂ】
2021520794.tif 000009
【図６】
2021520794.tif 000010
【国際調査報告】
2021520794.tif 000011
2021520794.tif 000012